(57)【特許請求の範囲】
【請求項１】
電子番組表に表示する各番組を識別する番組識別情報を含む電子番組表データを受信する受信手段と、
該受信手段が受信した電子番組表データと、過去に視聴した番組の番組識別情報を含む視聴履歴データとを入力とし、過去に視聴した番組の番組識別情報と番組識別情報が一致する番組について該番組が視聴済みであることの表示を含む電子番組表を作成する番組表作成手段と、
該番組表作成手段が作成した電子番組表を表示する番組表表示手段と、
内容が同じ番組であって番組識別情報が異なる番組の番組識別情報を同じ番組識別情報に変換するための変換情報を保持する変換情報保持手段と、
を備え、
上記番組表作成手段は、受信手段が受信した電子番組表データと視聴履歴データとが内容が同じ番組を識別するために異なる番組識別情報を使用しているときに、前記変換情報保持手段に保持された変換情報を用いて、電子番組表データと視聴履歴データのうちの一方で使用している番組識別情報を他方で用いている番組識別情報に変換してから両者を比較して、過去に視聴した番組の番組識別情報と番組識別情報が一致する番組について該番組が視聴済みであることの表示を含む電子番組表を作成することを特徴とする放送受信装置。
【請求項２】
電子番組表に表示する各番組を識別する番組識別情報を含む電子番組表データを受信する受信手段と、
該受信手段が受信した電子番組表データを入力とし電子番組表を作成する番組表作成手段と、
該番組表作成手段が作成した電子番組表を表示する番組表表示手段と、
視聴者が電子番組表を用いて番組を選択するための入力手段と、
該入力手段からの入力により選択された番組の番組識別情報が、過去に視聴した番組の番組識別情報を含む視聴履歴データの過去に視聴した番組の番組識別情報のいずれかと一致するときに警告を表示する警告表示手段と、
内容が同じ番組であって番組識別情報が異なる番組の番組識別情報を同じ番組識別情報に変換するための変換情報を保持する変換情報保持手段と、
を備え、
上記警告表示手段は、受信手段が受信した電子番組表データと視聴履歴データとが内容が同じ番組を識別するために異なる番組識別情報を使用しているときに、前記変換情報保持手段に保持される変換情報を用いて、電子番組表データと視聴履歴データのうちの一方で使用している番組識別情報を他方で用いている番組識別情報に変換してから両者を比較して、該入力手段からの入力により選択された番組の番組識別情報が、過去に視聴した番組の番組識別情報を含む視聴履歴データの過去に視聴した番組の番組識別情報のいずれかと一致するときに警告を表示することを特徴とする放送受信装置。
【発明の詳細な説明】
【０００１】
【発明の属する技術分野】
この発明は、画面上に電子番組表（ＥＰＧ：Electric Program Guide）を表示する放送受信装置に関し、特に、視聴者が視聴済みの番組を誤選択してしまうのを効果的に防止できる放送受信装置に関するものである。
【０００２】
【従来の技術】
図８は視聴者が番組を選択するために用いる電子番組表（ＥＰＧ：Electric Program Guide）を表示する従来の放送受信装置が表示画面上に表示するＥＰＧの一例を示す図である。図８に示すＥＰＧは、チャンネルと時間とを行と列とし、内部に番組名等の番組内容（図８中のＡ〜Ｒ）が記述されるセルを２次元のマトリックス状に配置して表示するものである。視聴者が視聴する番組を選択する場合には、ＥＰＧ画面上に表示されるカーソルを図示しないリモコン等により操作し、所望の番組のセルを指示して、リモコンに設けられた選択キーを押下することにより、視聴する番組の選択を行なう。
【０００３】
【発明が解決しようとする課題】
従来の放送受信装置では、ＥＰＧに視聴者が過去に見たことのある番組が含まれている場合であっても、ＥＰＧ画面上にそのことを表示することは行なわれていなかった。このため、視聴者が過去に視聴した経験のある番組を再度選択してしまい、選択した番組をある程度視聴した後、過去に視聴経験があることを思い出すといったように、あらかじめ視聴したことがわかっていれば行なわないような番組の誤選択をしてしまうという問題があった。
【０００４】
本発明は上記の問題点を解消するためになされたもので、ＥＰＧで番組選択を行なう放送受信装置であって、視聴者が視聴済みの番組を誤選択してしまうのを効果的に防止できる放送受信装置を提供することを目的とする。
【０００５】
【課題を解決するための手段】
上記課題を解決するために、本発明（請求項１）に係る放送受信装置は、電子番組表に表示する各番組を識別する番組識別情報を含む電子番組表データを受信する受信手段と、該受信手段が受信した電子番組表データと、過去に視聴した番組の番組識別情報を含む視聴履歴データとを入力とし、過去に視聴した番組の番組識別情報と番組識別情報が一致する番組について該番組が視聴済みであることの表示を含む電子番組表を作成する番組表作成手段と、該番組表作成手段が作成した電子番組表を表示する番組表表示手段と、内容が同じ番組であって番組識別情報が異なる番組の番組識別情報を同じ番組識別情報に変換するための変換情報を保持する変換情報保持手段と、を備え、上記番組表作成手段が、受信手段が受信した電子番組表データと視聴履歴データとが内容が同じ番組を識別するために異なる番組識別情報を使用しているときに、前記変換情報保持手段に保持された変換情報を用いて、電子番組表データと視聴履歴データのうちの一方で使用している番組識別情報を他方で用いている番組識別情報に変換してから両者を比較して、過去に視聴した番組の番組識別情報と番組識別情報が一致する番組について該番組が視聴済みであることの表示を含む電子番組表を作成するものである。
【０００６】
また、本発明（請求項２）に係る放送受信装置は、電子番組表に表示する各番組を識別する番組識別情報を含む電子番組表データを受信する受信手段と、該受信手段が受信した電子番組表データを入力とし電子番組表を作成する番組表作成手段と、該番組表作成手段が作成した電子番組表を表示する番組表表示手段と、視聴者が電子番組表を用いて番組を選択するための入力手段と、該入力手段からの入力により選択された番組の番組識別情報が、過去に視聴した番組の番組識別情報を含む視聴履歴データの過去に視聴した番組の番組識別情報のいずれかと一致するときに警告を表示する警告表示手段と、内容が同じ番組であって番組識別情報が異なる番組の番組識別情報を同じ番組識別情報に変換するための変換情報を保持する変換情報保持手段と、を備え、上記警告表示手段が、受信手段が受信した電子番組表データと視聴履歴データとが内容が同じ番組を識別するために異なる番組識別情報を使用しているときに、前記変換情報保持手段に保持される変換情報を用いて、電子番組表データと視聴履歴データのうちの一方で使用している番組識別情報を他方で用いている番組識別情報に変換してから両者を比較して、該入力手段からの入力により選択された番組の番組識別情報が、過去に視聴した番組の番組識別情報を含む視聴履歴データの過去に視聴した番組の番組識別情報のいずれかと一致するときに警告を表示するものである。
【００１７】
【発明の実施の形態】
以下、本発明の各実施の形態について説明する。
実施の形態１．
図１は本発明の実施の形態１による放送受信装置の構成を示す図である。
図１において、１００は受信端子、１０１は放送を受信する放送受信部、１０２は視聴時間を計測する計測部、１０３は放送番組，及びＥＰＧ画面を表示する表示部である。１０４は視聴者が番組を選択するリモコン等の操作入力部、１０５は番組を視聴している個人を識別する個人識別部である。また、１０６は内容が同じ番組であって番組コードが異なる番組の番組コードを同じ番組コードに変換するための変換情報を保持する変換情報保持部、１０７はすでに視聴した番組の番組コードを記録しておく記録部、１０８は放送信号から取得したＥＰＧデータ，個人識別部１０５が出力する個人識別情報，変換情報保持部１０６に保持された変換情報，及び記録部に保持された視聴履歴データに基づいて表示部に表示するためのＥＰＧを作成するＥＰＧ作成部である。１０９は操作入力部１０４からの入力に応じてＥＰＧ画面の表示部１０３での表示を制御し、また、操作入力部１０４からの入力によりＥＰＧ画面上ですでに視聴した履歴のある番組が選択されたときにこれを示す信号を出力するＥＰＧ表示制御部である。１１０はＥＰＧ表示制御部１０９からすでに視聴した履歴のある番組が選択されたことを示す信号を受けたときに警告を発する警告部である。
【００１８】
図２は視聴者が番組を選択するのに用いるリモコンの一例を示す図であり、図２において２００はリモコン、２０１はＥＰＧの表示を要求するＥＰＧ表示キー、２０２はＥＰＧ画面上でカーソルを移動させるためのカーソル移動キー、２０３はＥＰＧ画面上のカーソルで指示されたセルを選択するセレクトキー、２０４はリモコン操作者を特定する個人識別キーである。
【００１９】
次に本実施の形態１による放送受信装置の動作について説明する。
本実施の形態１による放送受信装置の動作は、放送受信部１０１において通常番組を受信している場合と、ＥＰＧを受信している場合とに大別される。
図３は本実施の形態１による放送受信装置の通常番組の受信時における動作の流れを示すフローチャート図である。以下、本実施の形態１による放送受信装置の通常番組の受信時における動作をこのフローチャート図に沿って説明する。リモコン２００の操作により番組受信が開始されると、個人識別部１０５は個人識別を行ない、個人識別コードを計測部１０２に対して出力する（ステップＳ１）。個人識別部１０５では、例えば図２に示すリモコン２００のＡ〜Ｄのいずれかの個人識別用キー２０４が押されることにより、その番組を視聴している個人の識別が行なわれ、視聴している個人の個人識別コードが出力される。この個人識別コードの入力を受けて計測部１０２はリセットされ、時間の計測を開始する（ステップＳ２）。操作入力部１０４からの入力により受信番組が変更されたときは（ステップＳ３）、ステップＳ１にもどり、個人識別部１０５による個人識別コードの出力，及び計測部１０２のリセットの動作が繰り返される。受信番組の変更がされないときは、計測部１０２は時間の計測を継続して行ない、予め定められた一定の時間が経過したときは（ステップＳ５）、計測部１０２より受信番組の番組コード，及び個人識別コードが出力され、これらを対として記録部１０６に記録する（ステップＳ６）。すなわち、記録部１０７には、誰がどの番組を視聴したかという視聴履歴データが記録される。その後、ステップＳ７で番組受信動作が終了したか否かが判断され、終了していないときはステップＳ３以降の動作が繰り返される。なお、通常番組を視聴している場合、ＥＰＧ作成部１０８，ＥＰＧ表示制御部１０９，及び警告部１１０は動作しない。
【００２０】
次に、ＥＰＧデータを受信している場合の動作について説明する。ＥＰＧデータを受信している場合、リモコン２００のＥＰＧ表示キー２０１が押下されることによりＥＰＧの表示要求がされると、受信したＥＰＧデータを用いてＥＰＧ作成部１０８において作成されたＥＰＧが表示部１０３に表示される。ＥＰＧ作成部１０８には受信したＥＰＧデータ，記録部１０７に記録された視聴履歴データ，個人識別部１０５が出力する現在視聴している視聴者の個人識別コード，及び変換情報保持部が保持する変換情報が入力される。
【００２１】
ＥＰＧ作成部１０８では、ＥＰＧに含まれる番組の内容が視聴者が既に見た番組と同じものであるかどうかを判定し、視聴者が既に見た番組と同じ内容の番組を他の番組と区別できるＥＰＧを作成する。具体的には、ＥＰＧデータに含まれる番組コードと記録部１０７に記録された現在視聴している視聴者の視聴履歴データ（その視聴者の個人識別コードが付されているもの）の番組コードとを比較して、同一の番組コードの有無が判定される。そして同一コードが含まれている場合、ＥＰＧ作成部１０８は、図４に示すような、番組コードが視聴履歴データに含まれる番組コードと一致した番組のセルに他の番組と区別する着色等を施したＥＰＧを作成する。
【００２２】
ここで、同じ放送局（放送サービス）であれば、同じ内容の番組は再放送の際にも当該番組の番組コードを同じ番組コードとする場合が多いと考えられる。従って、視聴者が、例えば「Ａ」を内容とする番組を視聴し、この番組の番組コードが視聴履歴データとして記録部１０７に記録された場合、視聴者が以前にこの番組を視聴したのと同じ放送局（放送サービス）が提供する番組に「Ａ」を内容とする番組の再放送が含まれているときには、ＥＰＧデータに含まれる当該再放送番組の番組コードは以前に放送された番組の番組コードと同じであるので、記録部１０７に記録された視聴履歴データの番組コードをそのままＥＰＧデータの番組コードと比較することにより、当該再放送番組の内容が既に見た番組と同じものであることを判定できる。一方、同一の内容の番組に同一の番組コードを付するという調整は、異なる放送局（放送サービス）間では通常なされないと考えられる。従って、上述の例で、視聴者が、「Ａ」を内容とする番組を視聴し、この番組の番組コードが視聴履歴データとして記録部１０７に記録された場合、視聴者が以前にこの番組を視聴したのと異なる放送局（放送サービス）が提供する番組に「Ａ」を内容とする番組の再放送が含まれているときには、ＥＰＧデータに含まれる当該再放送番組の番組コードは以前に放送された番組の番組コードとは異なるので、記録部１０７に記録された視聴履歴データの番組コードをそのままＥＰＧデータの番組コードと比較しても、当該再放送番組の内容が既に見た番組と同じものであることは判定できない。
【００２３】
本実施の形態１による放送受信装置では、変換情報保持部１０６が、変換情報として、異なる放送局（放送サービス）の番組であって内容が同じものについて、これらの番組コードを対応付ける変換テーブルを保持している。ＥＰＧ作成部１０８はこの変換テーブルを用いて、記録部１０７に記録された視聴履歴データの番組コードをＥＰＧデータに含まれる放送局（放送サービス）が用いている番組コードに変換した後に、この変換後の番組コードとＥＰＧデータの番組コードとを比較して、ＥＰＧに含まれる番組の内容が視聴者が既に見た番組と同じものであるかどうかを判定する。これにより、同じ内容の番組に異なる番組コードが使われている場合でも、ＥＰＧに含まれる番組の内容が視聴者が既に見た番組と同じものであるかどうかを判定することができる。このような変換情報は、各放送サービスが作成して提供するようにしてもよいし、または、放送局とは別の業者が各放送サービスから番組コードに関する情報を取得して、この情報に基づいて変換テーブルを作成して提供するようにしてもよい。
【００２４】
ＥＰＧ作成部１０８で作成されたＥＰＧは、ＥＰＧ表示制御部１０９により表示部１０３に表示される。視聴者は入力部１０４からの入力により、図４に示されるようなＥＰＧ画面上で番組を選択する。ＥＰＧ表示制御部１０９は、視聴者がＥＰＧ画面上で選択した番組が、視聴履歴のない番組であれば、放送受信部１０１へチャンネル変更の信号を送出し、視聴履歴のある番組であれば、すでに視聴した履歴のある番組が選択されたことを示す信号を警告部１１０に出力する。警告部１１０はＥＰＧ表示制御部１０９からすでに視聴した履歴のある番組が選択されたことを示す信号を受けると、例えば「視聴済みですが、再度視聴しますか」などの警告メッセージを表示部１０３に表示させる。視聴履歴のある番組である場合は、視聴者が警告メッセージを確認後再度視聴することを選択したときに、ＥＰＧ表示制御部１０９より放送受信部１０１にチャンネル変更の信号が送出される。
【００２５】
図５は上述のＥＰＧの表示，及び番組選択動作の流れを示すフローチャート図である。リモコン２００のＥＰＧ表示キー２０１が押下されることによりＥＰＧ表示モードが開始されると、個人識別部１０５は個人識別を行ない、個人識別コードをＥＰＧ作成部１０８に対して出力する（ステップＳ１）。ＥＰＧ作成部１０８はこの個人識別コードの入力を受け、記録部１０７から、個人識別コードで特定される個人の視聴履歴データを読み出す（ステップＳ２）。そして、ＥＰＧ作成部１０８において、必要に応じて変換情報保持部に保持された変換テーブルを用いて、個人識別コードで特定された個人が過去に視聴した番組に過去に視聴済みであることを表示したＥＰＧ画面が作成され、作成されたＥＰＧ画面はＥＰＧ表示制御部１０９により表示部１０３に表示される（ステップＳ３）。リモコン２００のカーソル移動キー２０２とセレクトキー２０３の操作によりＥＰＧ画面上で番組が選択されると（ステップＳ４）、ＥＰＧ表示制御部１０９では、選択された番組と視聴履歴とが比較され（ステップＳ５）、選択された番組が視聴履歴のないものであるときは（ステップＳ６）、選択された番組を受信する番組であると決定し、ＥＰＧ表示制御部１０９は、放送受信部１０１に対し、選択された番組を受信するように指示を出す（ステップＳ７）。ステップＳ６において、選択された番組が視聴履歴のあるものであるときは、ＥＰＧ表示制御部１０９より警告部１１０に対し、視聴履歴がある番組が選択されたことを示す信号が出力され、警告部１１０はこの信号を受けて表示部１０３に警告を表示する（ステップＳ８）。警告後、再度視聴者が選択番組を変えることなく選択キー２０３を押下して再選択したときは（ステップＳ９）、選択された番組を受信する番組であると決定し、ＥＰＧ表示制御部１０９は、放送受信部１０１に対し、選択された番組を受信するように指示を出す（ステップＳ７）。警告後、再度視聴者が選択番組を変更したときは、ステップＳ４にもどり、上述したそれ以降の動作が繰り返される。受信番組決定（ステップＳ７）の後、リモコン２００による更なる操作がないときには、ＥＰＧ表示モードは終了し（ステップＳ８）、表示部１０３には放送受信部が受信する放送番組が表示される。受信番組決定後に再びリモコンによる操作があったときは、ステップＳ１にもどり、上述したそれ以降の動作が繰り返される。
【００２６】
本実施の形態による放送受信装置では、この放送受信装置の放送受信部１０１で受信し、視聴した番組については自動的に視聴履歴データを記録部１０７に記録し、この視聴履歴データとＥＰＧデータの比較に基づいて、ＥＰＧに表示される番組のうちの視聴済みの番組のセルに視聴済みであることを示す表示を施したＥＰＧを作成し、表示するようにしている。ここで、視聴者はある内容の番組を当該放送受信装置以外の受信装置や、ビデオなどの他のメディアで視聴する場合もあり、かかる場合においても、ＥＰＧに視聴済みであることを示す表示が施されることが望ましい。以下、本実施の形態による放送受信装置において、視聴者が視聴履歴を手動で追加する場合の動作を説明する。まず、表示部１０３に表示されたＥＰＧに、視聴者が放送受信装置以外の受信装置や、ビデオなどの他のメディアで視聴した番組が含まれているときに視聴者がＥＰＧ画面を用いて視聴履歴を追加する動作について説明する。例えば、図５に示すように、記録部に格納されている視聴履歴データに基づいて表示部に表示される視聴済番組がＡ，Ｇ，Ｑであるとする。ここで視聴者が、過去にビデオなどの他のメディア、もしくは何らかの機会にＥＰＧ画面上に表示されている番組Ｌを視聴した経験があるとき、視聴者はリモコン等の操作により、ＥＰＧ画面上の番組Ｌのセルにカーソル５００を合わせて、リモコンに設けられた視聴履歴データ追加キー（図示せず）を押下するなどして、視聴履歴データの追加処理を行なう。追加処理を行なうと、ＥＰＧ表示制御部１０９から番組Ｌの番組コードと個人識別コードが記録部１０７に対して出力され、視聴履歴データとして記録部１０７に記録される。記録部に追加視聴履歴データが記録された後は、ＥＰＧ作成部１０８は記録部１０７の当該追加された視聴履歴データに基づいて、番組Ｌについても視聴履歴があることを示す表示を施したＥＰＧを作成することができ、このＥＰＧが表示部１０３に表示される。次に、ＥＰＧ画面を用いずに視聴履歴を追加する動作について説明する。視聴情報入力部１１は、例えば、個人識別キーとテンキーを備えたリモコンによって構成される。視聴履歴の手動による追加をしようとする視聴者は、リモコンの個人識別キーで個人を特定するとともに、自分が過去に視聴した番組の番組コードをテンキーにより入力する。視聴情報入力部１１１から入力された個人識別コード，及び番組コードは記録部１０７に記録される。番組名と番組コードの対応表は、各放送サービスが作成して提供するようにしてもよいし、または、放送局とは別の業者が各放送サービスから番組コードに関する情報を取得して、この情報に基づいて対応表を作成して提供するようにしてもよい。
【００２７】
このように、本実施の形態１による放送受信装置では、ＥＰＧ作成部１０８が、受信部１０１が受信した電子番組表データ（ＥＰＧデータ）と過去に視聴した番組の番組識別情報（番組コード）を含む視聴履歴データとを入力として過去に視聴した番組の番組コードと番組コードが一致する番組について該番組が視聴済みであることの表示を含む電子番組表（ＥＰＧ）を作成し、表示部１０３がこのＥＰＧを表示する構成としたから、視聴者がＥＰＧ画面上で、既に視聴済みの番組を確認することができ、既に視聴済みの番組を誤って再度視聴してしまうことを容易に回避することができる。
【００２８】
また、本実施の形態１による放送受信装置では、警告部１１０が、操作入力部１０４からの入力により選択された番組の番組コードが、過去に視聴した番組の番組コードのいずれかと一致するときに警告を表示する構成としたから、視聴者が、既に視聴済みの番組を選択したことを認識することができ、既に視聴済みの番組を誤って再度視聴してしまうことを容易に回避することができる。
【００２９】
また、本実施の形態１による放送受信装置では、計測部１０２により同一の番組を視聴している時間を計測し、視聴時間が所定時間を超えた番組について、受信している番組の番組コードを記録部１０７に記録し、この記録部１０７に記録された番組コードを視聴履歴データとして用いる構成としたから、ＥＰＧ作成部１０８がＥＰＧ作成に用いる視聴履歴データを自動的に記録できる。
【００３０】
また、本実施の形態１による放送受信装置では、個人識別部１０５が、視聴している個人を識別して個人識別コードを出力し、記録部１０７が、番組コードを記録する際に、上記個人識別部１０５が出力する個人識別コードと対応付けて番組コードを記録する構成としたから、ＥＰＧ作成部１０８は、記録部に記録された個人別の視聴履歴データを用いて、個々の視聴者の視聴履歴を反映したＥＰＧを作成できる。
【００３１】
また、本実施の形態１による放送受信装置では、ＥＰＧ作成部１０８が、受信手段が受信した電子番組表データと視聴履歴データとが内容が同じ番組を識別するために異なる番組コードを使用しているときに、内容が同じ番組であって番組コードが異なる番組の番組コードを同じ番組コードに変換するための変換情報（変換テーブル）を用いて、電子番組表データと視聴履歴データのうちの一方で使用している番組コードを他方で用いている番組コードに変換してから両者を比較して、過去に視聴した番組の番組コードと番組コードが一致する番組について該番組が視聴済みであることの表示を含む電子番組表を作成するする構成としたから、視聴者が複数の異なる放送サービスに加入しているような場合であっても、各放送サービスからのＥＰＧデータに基づいて、視聴履歴を反映したＥＰＧを作成できる。
【００３２】
また、本実施の形態１による放送受信装置では、操作入力部１０４，或いは視聴情報入力部１１１からの追加処理入力に応じて、記録部１０７が、追加処理入力された番組の番組コードを視聴履歴データとして記録する構成としたから、過去に他のメディアで視聴したコンテンツを視聴履歴に追記することができる。
【００３３】
なお、上記実施の形態１では、個人識別部１０５が、リモコン等に設けられた個人識別用キーの押下に応じて個人識別コードを出力するものについて説明したが、例えばリモコンの操作キーやリモコン本体に指紋識別装置を内蔵し、この指紋識別装置が出力する個人識別信号に応じて個人識別部１０５が個人識別コードを出力するようにする等、視聴中の個人を識別する他の方法を利用できることは言うまでもない。
【００３４】
また、本実施の形態１による放送受信装置では、記録部１０７に個人識別コードと番組コードを記録するものについて説明したが、番組コードに対応付けて該番組の視聴に関する時間情報、すなわち、いつ、どれだけの時間視聴したかという情報を記録するようにしてもよい。このように記録部１０７が視聴に関する時間情報を記録する構成とした場合、ＥＰＧ作成部１０８は視聴済み番組についていつ、どれだけの時間視聴したかという情報を表示したＥＰＧ画面を作成可能であり、また、警告部１１０はＥＰＧ画面上で既に視聴した番組が選択された際の警告表示にこの時間情報を含めることが可能であり、視聴者が既に視聴した番組の視聴についての記憶を呼び起こすことを容易ならしめることができる。
【００３５】
また、上記実施の形態１による放送受信装置では、視聴済みの番組に視聴済みであることを示す表示を施したＥＰＧを作成，表示するとともに、過去に視聴済みの番組がＥＰＧ上で選択されたときに警告を表示するようにしたが、視聴済みの番組に視聴済みであることを示す表示を施したＥＰＧを作成，表示すること、または、過去に視聴済みの番組がＥＰＧ上で選択されたときに警告を表示すること、のいずれか一方のみを行なう構成としてもよい。
【００３６】
実施の形態２．
図７は本発明の実施の形態２による放送受信装置の構成を示す図である。図７において、図１と同一符号は同一または相当部分であり、１２０は送信部、１２０は受信部、１３０は送信端子、１３１は受信端子である。
【００３７】
本実施の形態２による放送受信装置は、図１に示す実施の形態１による放送受信装置が備えている変換情報保持部１０６，及び記録部１０７を設けていない。本実施の形態２による放送受信装置では、実施の形態１による放送受信装置において、記録部１０７に記録していた視聴履歴データを放送受信装置内に記録保持しておくかわりに、送信部１２０により当該放送受信装置の外部に設けられた記録手段に送信する。記録手段は、放送局（放送サービス）や放送局以外のデータ蓄積サービス会社等に設けるようにすればよい。本実施の形態２による放送受信装置では、視聴履歴データを必要とするとき（ＥＰＧ画面の作成時）に、放送局（放送サービス）や放送局以外のデータ蓄積サービス会社等に設けられた記録手段に対し視聴履歴データを送信するように要求し、これを受信部１２１により受信して用いる。また、本実施の形態２による放送受信装置では、実施の形態１による放送受信装置において、変換情報保持部１０６に記録していた番組コード変換テーブルを放送受信装置内に記録保持しておくかわりに、番組コード変換テーブルを必要とするときに、放送局（放送サービス）や放送局以外の情報サービス会社等が提供する番組コード変換テーブルを、受信部１２１により受信して用いる構成としている。
【００３８】
次に本実施の形態２による放送受信装置の動作について説明する。
本実施の形態２による放送受信装置の動作は、実施の形態１による放送受信装置の動作とほぼ同様であり、視聴履歴データを記録部に記録するかわりに送信部１２０より外部の記録手段に送信する点、及び記録部，変換情報保持部からそれぞれ視聴履歴データ，番組コード変換データを読み出すかわりにこれらの情報を外部より受信部１２１を用いて受信，取得する点が異なる。
【００３９】
まず、通常番組の受信時における動作について説明する。リモコン２００の操作により番組受信が開始されると、個人識別部１０５は個人識別を行ない、個人識別コードを計測部１０２に対して出力する。この個人識別コードの入力を受けて計測部１０２はリセットされ、時間の計測を開始し、予め定められた一定の時間が経過したときは、計測部１０２より送信部１２０に対して受信番組の番組コード，及び個人識別コードが出力され、送信部１２０はこれらを対とし、さらに、当該放送受信装置の識別コードを付して記録手段に送信する。これにより、図示しない記録手段には、当該放送受信装置により、誰がどの番組を視聴したかという視聴履歴データが記録される。
【００４０】
次に、ＥＰＧデータを受信している場合の動作について説明する。ＥＰＧデータを受信している場合、リモコン２００のＥＰＧ表示キー２０１が押下されることによりＥＰＧの表示要求がされると、受信したＥＰＧデータを用いてＥＰＧ作成部１０８において作成されたＥＰＧが表示部１０３に表示される。ＥＰＧ作成部１０８には受信したＥＰＧデータ，個人識別部１０５が出力する現在視聴している視聴者の個人識別コード，受信部１２１が受信した視聴履歴データと変換情報が入力される。
【００４１】
ＥＰＧ作成部１０８では、ＥＰＧに含まれる番組の内容が視聴者が既に見た番組と同じものであるかどうかを判定し、視聴者が既に見た番組と同じ内容の番組を他の番組と区別できるＥＰＧを作成する。具体的には、ＥＰＧデータに含まれる番組コードと記録部１０７に記録された現在視聴している視聴者の視聴履歴データ（その視聴者の個人識別コードが付されているもの）の番組コードとを比較して、同一の番組コードの有無が判定される。そして同一コードが含まれている場合、ＥＰＧ作成部１０８は、図４に示すような、番組コードが視聴履歴データに含まれる番組コードと一致した番組のセルに他の番組と区別する着色等を施したＥＰＧを作成する。
【００４２】
次に、本実施の形態２による放送受信装置において、視聴者が視聴履歴を手動で追加する場合の動作を説明する。まず、表示部１０３に表示されたＥＰＧに、視聴者が放送受信装置以外の受信装置や、ビデオなどの他のメディアで視聴した番組が含まれているときに視聴者がＥＰＧ画面を用いて視聴履歴を追加する動作について説明する。例えば、図５に示すように、記録部に格納されている視聴履歴データに基づいて表示部に表示される視聴済番組がＡ，Ｇ，Ｑであるとする。ここで視聴者が、過去にビデオなどの他のメディア、もしくは何らかの機会にＥＰＧ画面上に表示されている番組Ｌを視聴した経験があるとき、視聴者はリモコン等の操作により、ＥＰＧ画面上の番組Ｌのセルにカーソル５００を合わせて、リモコンに設けられた視聴履歴データ追加キー（図示せず）を押下するなどして、視聴履歴データの追加処理を行なう。追加処理を行なうと、ＥＰＧ表示制御部１０９から番組Ｌの番組コードと個人識別コードが送信部１２０に対して出力され、送信部１２０はこれを視聴履歴データとして外部の記録手段部に送信する。これにより、追加視聴履歴データは外部の記録手段に記録され、その後は、ＥＰＧ作成部１０８は受信部１２１が受信する記録手段からの視聴履歴データに基づいて、番組Ｌについても視聴履歴があることを示す表示を施したＥＰＧを作成することができ、このＥＰＧが表示部１０３に表示される。次に、ＥＰＧ画面を用いずに視聴履歴を追加する動作について説明する。視聴情報入力部１１は、例えば、個人識別キーとテンキーを備えたリモコンによって構成される。視聴履歴の手動による追加をしようとする視聴者は、リモコンの個人識別キーで個人を特定するとともに、自分が過去に視聴した番組の番組コードをテンキーにより入力する。視聴情報入力部１１１から入力された個人識別コード，及び番組コードは送信部１２０より外部の記録手段に送信され、記録手段に記録される。
【００４３】
このように、本実施の形態２による放送受信装置では、ＥＰＧ作成部１０８が、受信部１０１が受信した電子番組表データ（ＥＰＧデータ）と過去に視聴した番組の番組識別情報（番組コード）を含む視聴履歴データとを入力として過去に視聴した番組の番組コードと番組コードが一致する番組について該番組が視聴済みであることの表示を含む電子番組表（ＥＰＧ）を作成し、表示部１０３がこのＥＰＧを表示するようにするとともに、計測部１０２により同一の番組を視聴している時間を計測し、視聴時間が所定時間を超えた番組について、受信している番組の番組コードを送信部１２０より通信回線を通じてサーバーへ送出し、また、サーバーから通信回線を通じて受信部１２１により視聴済み番組の番組コードを受信し、該受信部１２１が受信した視聴済み番組の番組コードを上記視聴履歴データとして用いる構成としたから、上記実施の形態１による放送受信装置と同様の効果を奏するとともに、視聴履歴データを保持する記憶手段を放送受信装置内に持たなくてもよく、装置のコストを低減できる。
【００４４】
【発明の効果】
以上のように、本発明（請求項１）によれば、電子番組表に表示する各番組を識別する番組識別情報を含む電子番組表データを受信する受信手段と、該受信手段が受信した電子番組表データと、過去に視聴した番組の番組識別情報を含む視聴履歴データとを入力とし、過去に視聴した番組の番組識別情報と番組識別情報が一致する番組について該番組が視聴済みであることの表示を含む電子番組表を作成する番組表作成手段と、該番組表作成手段が作成した電子番組表を表示する番組表表示手段と、内容が同じ番組であって番組識別情報が異なる番組の番組識別情報を同じ番組識別情報に変換するための変換情報を保持する変換情報保持手段と、を備え、上記番組表作成手段が、受信手段が受信した電子番組表データと視聴履歴データとが内容が同じ番組を識別するために異なる番組識別情報を使用しているときに、前記変換情報保持手段に保持された変換情報を用いて、電子番組表データと視聴履歴データのうちの一方で使用している番組識別情報を他方で用いている番組識別情報に変換してから両者を比較して、過去に視聴した番組の番組識別情報と番組識別情報が一致する番組について該番組が視聴済みであることの表示を含む電子番組表を作成する構成としたから、視聴者が複数の異なる放送サービスに加入しているような場合であっても、各放送サービスからのＥＰＧデータに基づいて、視聴履歴を反映したＥＰＧを作成できる効果がある。
【００４５】
また、本発明（請求項２）によれば、電子番組表に表示する各番組を識別する番組識別情報を含む電子番組表データを受信する受信手段と、該受信手段が受信した電子番組表データを入力とし電子番組表を作成する番組表作成手段と、該番組表作成手段が作成した電子番組表を表示する番組表表示手段と、視聴者が電子番組表を用いて番組を選択するための入力手段と、該入力手段からの入力により選択された番組の番組識別情報が、過去に視聴した番組の番組識別情報を含む視聴履歴データの過去に視聴した番組の番組識別情報のいずれかと一致するときに警告を表示する警告表示手段と、内容が同じ番組であって番組識別情報が異なる番組の番組識別情報を同じ番組識別情報に変換するための変換情報を保持する変換情報保持手段と、を備え、上記警告表示手段が、受信手段が受信した電子番組表データと視聴履歴データとが内容が同じ番組を識別するために異なる番組識別情報を使用しているときに、前記変換情報保持手段に保持される変換情報を用いて、電子番組表データと視聴履歴データのうちの一方で使用している番組識別情報を他方で用いている番組識別情報に変換してから両者を比較して、該入力手段からの入力により選択された番組の番組識別情報が、過去に視聴した番組の番組識別情報を含む視聴履歴データの過去に視聴した番組の番組識別情報のいずれかと一致するときに警告を表示する構成としたから、受信手段が受信した電子番組表データと視聴履歴データとが内容が同じ番組を識別するために異なる番組識別情報を使用している場合にも、視聴者により既に視聴済みの番組が選択されたときに確実に警告を表示できる効果がある。
【図面の簡単な説明】
【図１】本発明の実施の形態１による放送受信装置の構成を示す図である。
【図２】本発明による放送受信装置で操作入力部として用いるリモコン装置の一例の外観を示す図である。
【図３】本発明の実施の形態１による放送受信装置の通常番組の受信時における動作の流れを示すフローチャート図である。
【図４】本発明の実施の形態１による放送受信装置で表示されるＥＰＧ画面の一例を示す図である。
【図５】本発明の実施の形態１による放送受信装置のＥＰＧの表示，及び番組選択動作の流れを示すフローチャート図である。
【図６】本発明の実施の形態１による放送受信装置における視聴履歴データの手動による追記の動作を説明するための図である。
【図７】本発明の実施の形態２による放送受信装置の構成を示す図である。
【図８】従来の放送受信装置が表示画面上に表示するＥＰＧの一例を示す図である。
【符号の説明】
１００      受信端子
１０１      放送受信部
１０２      計測部
１０３      表示部
１０４      操作入力部
１０５      個人識別部
１０６      変換情報保持部
１０７      記録部
１０８      ＥＰＧ作成部
１０９      ＥＰＧ表示制御部
１１０      警告部
１１１      視聴情報入力部
【図１】
0004149571.tif 000002
【図２】
0004149571.tif 000003
【図３】
0004149571.tif 000004
【図４】
0004149571.tif 000005
【図５】
0004149571.tif 000006
【図６】
0004149571.tif 000007
【図７】
0004149571.tif 000008
【図８】
0004149571.tif 000009